(57)【要約】【課題】強度を高めることができるとともに、収容された保冷材の効率的な凝固、及び、保冷材による効率的な保冷を実現する。【解決手段】互いに対向する一対の主面３ａ，３ｂを有する筐体からなり、保冷材が収容される保冷材容器１であって、一対の主面３ａ，３ｂのそれぞれは、主面３ａ，３ｂの略全面に、筐体の外側に向かって突出した複数の凸部１０ａ，１０ｂがハニカム状に配列されている。【選択図】図１
2016223668.tif 000002
【特許請求の範囲】
【請求項１】
互いに対向する一対の主面を有し、保冷材が収容される扁平状の保冷材容器であって、
前記一対の主面のそれぞれは、当該主面の略全面に、前記保冷材容器の外側に向かって突出した複数の凸部がハニカム状に配列されている保冷材容器。
【請求項２】
請求項１に記載の保冷材容器において、
前記複数の凸部はそれぞれ、正六角錐台形状である、保冷材容器。
【発明の詳細な説明】
【技術分野】
【０００１】
本発明は、保冷材を収容する保冷材容器に関する。
【背景技術】
【０００２】
近年、物流システムにおいては、物品を低温で輸送するサービスが、陸送、空輸を問わず提供されている。物品を低温で輸送する場合は、例えば、物品を収納するコンテナ内に保冷材を設置し、この保冷材の冷気によって物品を保冷しながら輸送することが考えられる。また、倉庫内にて物品を低温で保管する場合も、倉庫内に保冷材を設置し、保冷材の冷気によって物品を保冷することが考えられる。
【０００３】
このような保冷材としては、パラフィン系化合物や水等の流動性を有するものが用いられ、保冷材を冷凍庫等で冷却して凝固させることで、物品を保冷材の融解点付近の温度で保冷することができる。そのため、保冷材が樹脂等からなる保冷材容器に収容された保冷具として使用される場合が多い。例えば、特許文献１には、中空平板形状の保冷材容器が開示されている。このような保冷材容器を用いることで、流動性を有する保冷材を用いて物品を保冷することができる。
【先行技術文献】
【特許文献】
【０００４】
【特許文献１】特開２０１５−７８３０７号公報
【発明の概要】
【発明が解決しようとする課題】
【０００５】
ところで、上述したように流動性を有する保冷材が保冷材容器に収容された保冷具においては、保冷材を凝固させる際、保冷材が膨張することで保冷材容器には内部から圧力が加わることになる。そのため、保冷材容器が大きく変形したり、場合によっては破損してしまったりする虞れがある。特に、保冷材を凝固させる際、保冷材はその周辺部から凝固していくため、保冷具の中心部分においては膨張による圧力の逃げ場がなく、保冷材容器に大きな圧力が加わることとなり、それにより、保冷材容器に変形や破損が生じやすいという問題点がある。このような問題は、上述したような中空平板形状の主面の面積が広い場合に特に生じやすい。
【０００６】
このように保冷材容器が変形した場合、保冷具を収容している冷結ラック等から保冷具を取り出せなくなるという問題点がある。また、保冷材容器が破損した場合は、保冷材が流動性を有するものであることから保冷材容器の外部に流れ出し、それにより、物品等を汚してしまうという問題点がある。このような問題は、保冷具が落下すること等によって保冷材容器が破損した場合においても同様に生じるものである。
【０００７】
また、上述した保冷具を複数個重ね合わせた状態で使用する場合、保冷材を凝固させる際、重ね合わされた保冷具間に冷凍庫等による冷気が入り込まず、保冷材が凝固しにくいという問題点がある。また、保冷材が凝固した後に物品を保冷する際、重ね合わされた保冷具の重ね合わせ面からは、保冷材による冷気が外部に伝達されにくく、複数の保冷具を用いた十分な保冷効果を得ることができないという問題点がある。
【０００８】
本発明は、上述したような従来の技術が有する問題点に鑑みてなされたものであって、強度を高めることができるとともに、収容された保冷材の効率的な凝固、及び、保冷材による効率的な保冷を実現することができる保冷材容器を提供することを目的とする。
【課題を解決するための手段】
【０００９】
上記目的を達成するために本発明は、
互いに対向する一対の主面を有し、保冷材が収容される扁平状の保冷材容器であって、
前記一対の主面のそれぞれは、当該主面の略全面に、前記保冷材容器の外側に向かって突出した複数の凸部がハニカム状に配列されている。
【００１０】
上記のように構成された本発明においては、保冷材容器を構成する一対の主面のそれぞれに複数の凸部が設けられていることにより、収容された保冷材が凝固する際に内部から圧力が加わった場合にその圧力が凸部にて分散されることとなり、また、複数の凸部が、主面の略全面にハニカム状に配列されていることによって主面の剛性が高まり、それにより、全体の強度が高くなる。また、複数の凸部によって保冷材容器の表面積が広くなることで、収容された保冷材を冷凍庫等の冷気によって凝固させる際、冷気が保冷材に伝達されやすくなり、保冷材が効率的に凝固されることになる。また、保冷材が凝固した後に物品を保冷する際、保冷材による冷気が外部に伝達されやすくなり、保冷材による保冷効果が向上する。また、このように保冷材を効率的に凝固させるとともに保冷材による保冷効果を向上させるために複数の凸部を設けながらも、複数の凸部が、保冷材容器の主面の略全面にハニカム状に配列されていることにより、保冷材の凝固状態や融解状態にムラが生じにくくなる。また、保冷材が収容されて複数個重ねた状態で使用される場合、複数の凸部間の領域において、重ね合わされた保冷材容器間に空間が生じ、保冷材を凝固させる際、この空間に冷凍庫等による冷気が流れ込み、保冷材が凝固しにくくなってしまうことがない。またその際、複数の凸部がハニカム状に配列されていることにより、冷凍庫等による冷気が、重ね合わされた保冷材容器間の空間に均等に流れ込み、保冷材の凝固状態にムラが生じにくくなる。また、保冷材が凝固した後に物品を保冷する際、重ね合わされた保冷具の重ね合わせ面からこの空間を介して保冷材による冷気が外部に伝達されやすくなり、複数の保冷具を用いた十分な保冷効果が得られることとなる。
【００１１】
また、複数の凸部をそれぞれ、正六角錐台形状であるものとすることが考えられる。その場合、正六角錐台形の底部が正六角形であることにより、内部から加わった圧力が分散しやすくなるとともに、凸部の面積を大きくしながらも冷気が流れる空間を確保することができる。また、正六角錐台形の頂部が平坦であることにより、複数個重ね合わされた場合に凸部どうしが当接することで重ね合わせ状態が不安定なものとなってしまうことが回避される。
【発明の効果】
【００１２】
本発明によれば、保冷材容器を構成する一対の主面のそれぞれの略全面に複数の凸部がハニカム状に配列されているため、強度を高めることができ、また、収容された保冷材を凝固させるための冷凍庫等による冷気が保冷材に伝達されやすくなるとともに、凝固した保冷材の冷気が外部に伝達されやすくなり、収容された保冷材の効率的な凝固、及び、保冷材による効率的な保冷を実現することができる。
【００１３】
また、複数の凸部がそれぞれ、正六角錐台形状であるものにおいては、正六角錐台形の底部が正六角形であることにより、内部から加わった圧力が分散しやすくなるとともに、凸部の面積を大きくしながらも冷気が流れる空間を確保することができ、また、正六角錐台形の頂部が平坦であることにより、複数個重ね合わされた場合に凸部どうしが当接することで重ね合わせ状態が不安定なものとなってしまうことを回避できる。
【図面の簡単な説明】
【００１４】
【図１】本発明の保冷材容器の実施の一形態を示す図であり、（ａ）は平面図、（ｂ）は（ａ）に示したＡ−Ａ’断面図、（ｃ）は（ａ）に示したＢ−Ｂ’断面図、（ｄ）は（ａ）に示したＣ−Ｃ’断面図、（ｅ）は（ａ）に示した凸部の詳細な構成を示す図である。
【図２】図１に示した保冷材容器が有する強度を説明するための図であり、（ａ）は凸部近傍にかかる圧力を断面方向から示す図、（ｂ）は凸部近傍にかかる圧力を平面方向から示す図である。
【図３】図１に示した保冷材容器に保冷材が収容された保冷具を複数個重ね合わせた状態で使用する場合の作用について説明するための図であり、（ａ）は２つの保冷具を重ね合わせた状態を断面方向から示す図、（ｂ）は（ａ）に示した状態における冷気の流れを示す図である。
【図４】図１に示した保冷材容器の貫通孔による作用を説明するための図である。
【図５】本発明の保冷材容器の他の実施の形態を示す図であり、（ａ）は平面図、（ｂ）は（ａ）に示したＡ−Ａ’断面図、（ｃ）は（ａ）に示したＢ−Ｂ’断面図、（ｄ）は（ａ）に示したＣ−Ｃ’断面図である。
【発明を実施するための形態】
【００１５】
以下に、本発明の実施の形態について図面を参照して説明する。
【００１６】
図１は、本発明の保冷材容器の実施の一形態を示す図であり、（ａ）は平面図、（ｂ）は（ａ）に示したＡ−Ａ’断面図、（ｃ）は（ａ）に示したＢ−Ｂ’断面図、（ｄ）は（ａ）に示したＣ−Ｃ’断面図、（ｅ）は（ａ）に示した凸部１０ａの詳細な構成を示す図である。なお、図１（ｂ）〜（ｄ）に示す断面図は、断面のみを示している。
【００１７】
本形態は図１に示すように、樹脂からなり、互いに同一形状のアッパー部２ａとロアー部２ｂとが、表裏反対の向きとなって重ね合わされ、その周縁部が接合部６ａとなって接合された保冷材容器１である。保冷材容器１は、アッパー部２ａとロアー部２ｂとがこのように接合されることにより、アッパー部２ａの主面３ａと、ロアー部２ｂの主面３ｂとが、互いに対向した一対の主面となる扁平状の直方体からなる箱体を構成し、接合部６ａを含む面が側面部４ａ〜４ｄとなっている。
【００１８】
主面３ａには、４つの角部のそれぞれに、主面３ａから一定の高さ及び面積を有して略四角形状に盛り上がって構成された脚部２１ａ，２２ａ，２３ａ，２４ａが設けられている。脚部２１ａ，２２ａ，２３ａ，２４ａのうち、主面３ａの対角線上にて互いに対向する脚部２１ａ，２４ａは、その上面において平坦部分の中央部分に凹部２５ａ，２８ａがそれぞれ形成された形状となっている。また、主面３ａの対角線上にて互いに対向する脚部２２ａ，２３ａは、その上面において平坦部分の中央部分に突起２６ａ，２７ａがそれぞれ形成された形状となっている。突起２６ａ，２７ａの高さは凹部２５ａ，２８ａの深さよりも低く、突起２６ａ，２７ａの大きさは凹部２５ａ，２８ａの大きさよりも小さくなっている。
【００１９】
また、主面３ａには、アッパー部２ａとロアー部２ｂとから構成される筐体の外側に向かって突出した複数の凸部１０ａが設けられている。複数の凸部１０ａは、主面３ａの脚部２１ａ，２２ａ，２３ａ，２４ａ及びその周縁部を除く略全面に、ハニカム状に配列されている。具体的には、凸部１０ａが一列に配列された凸部列１３ａと、凸部列１３ａに隣接し、同じく凸部１０ａが一列に配列された凸部列１３ｂとの関係において、凸部列１３ａを構成して隣り合う２つの凸部１０ａの中心どうしを結んだ直線分の中間点に、凸部列１３ｂを構成する凸部１０ａの中心が配置され、また、この凸部列１３ｂと、凸部列１３ｂに凸部列１３ａとは反対側に隣接する凸部列１３ｃとの関係においても同様のものとなるように、この関係性が繰り返されて複数の凸部１０ａが配列されている。複数の凸部１０ａがこのような関係性を有して配列されていることを、ハニカム状に配列されているという。凸部１０ａは、図１（ｅ）に示すように、底部１１が正六角形であり、かつ頂部１２が平坦である正六角錐台形状となっている。凸部１０ａの高さは、脚部２１ａ，２２ａ，２３ａ，２４ａの高さよりも低くなっている。
【００２０】
主面３ｂには、脚部２１ａ，２２ａ，２３ａ，２４ａに対向する領域に、主面３ｂから一定の高さ及び面積を有して略四角形状に盛り上がって構成された脚部２１ｂ，２２ｂ，２３ｂ，２４ｂが設けられている。脚部２１ｂ，２２ｂ，２３ｂ，２４ｂのうち、主面３ｂの対角線上にて互いに対向する脚部２１ｂ，２４ｂは、その上面において平坦部分の中央部分に突起２５ｂ，２８ｂがそれぞれ形成された形状となっている。また、主面３ｂの対角線上にて互いに対向する脚部２２ｂ，２３ｂは、その上面において平坦部分の中央部分に凹部２６ｂ，２７ｂがそれぞれ形成された形状となっている。突起２５ｂ，２８ｂの高さは凹部２６ｂ，２７ｂの深さよりも低く、突起２５ｂ，２８ｂの大きさは凹部２６ｂ，２７ｂの大きさよりも小さくなっている。
【００２１】
また、主面３ｂには、アッパー部２ａとロアー部２ｂとから構成される筐体の外側に向かって突出した複数の凸部１０ｂが、アッパー部２ａの凸部１０ａと対向する領域にハニカム状に配列して設けられている。凸部１０ｂも凸部１０ａと同様に、底部が正六角形であり、かつ頂部が平坦である正六角錐台形状となっており、凸部１０ｂの高さは、脚部２１ｂ，２２ｂ，２３ｂ，２４ｂの高さよりも低くなっている。
【００２２】
また、主面３ａ，３ｂのそれぞれには、凸部１０ａ，１０ｂが配列される領域の一部に、表裏貫通した貫通孔５が凸部１０ａ，１０ｂの代わり形成されている。また、接合されたアッパー部２ａ及びロアー部２ｂは、側面部４ｂにおいて、保冷材を保冷材容器１の内部に収容するための充填口７を構成している。この充填口７から保冷材容器１の内部に保冷材が収容された後、充填口７がキャップ（不図示）等によって塞がれて保冷具として使用されることになる。
【００２３】
上記のように構成された保冷材容器１は、例えば水系保冷材が充填口７から収容され、冷凍庫等で一定時間冷却される。冷凍庫等で冷却されると、冷凍庫等による冷気が保冷材容器１の表面から保冷材に伝達され、この冷気によって保冷材が凝固していく。保冷材が凝固した後、例えば保冷箱内に物品とともに収容されて使用される。保冷箱内に収容されると、保冷材による冷気が保冷箱内の空間を介して物品に伝達され、物品が保冷材の融解点近傍の温度で保冷されることになる。
【００２４】
以下に、上述した保冷材容器１の作用について説明する。
【００２５】
まず、保冷材容器１が有する強度について説明する。
【００２６】
図１に示した保冷材容器１は、上述したように保冷材が収容され、冷凍庫等で冷却されることで保冷材が凝固することになるが、保冷材が凝固していく際、保冷材が膨張することで保冷材容器１には内部から圧力が加わることになる。
【００２７】
図２は、図１に示した保冷材容器１が有する強度を説明するための図であり、（ａ）は凸部１０ａ，１０ｂ近傍にかかる圧力を断面方向から示す図、（ｂ）は凸部１０ａ近傍にかかる圧力を平面方向から示す図、（ｃ）は保冷材容器１の全体にかかる圧力を断面方向から示す図、（ｄ）は保冷材容器１の全体にかかる圧力を平面方向から示す図である。
【００２８】
図１に示した保冷材容器１は、上述したようにアッパー部２ａとロアー部２ｂのそれぞれにおいて、保冷材容器１の外側に突出した正六角錐台形状の複数の凸部１０ａ，１０ｂが設けられている。そのため、図２（ａ），（ｂ）に示すように、凸部１０ａ，１０ｂのそれぞれにおいては、保冷材容器１に収容された保冷材９が膨張することにより生じる圧力が主面３ａ，３ｂの垂線方向のみならず、正六角錐台形の側面の垂線方向にも加わることで、保冷材容器１の内部から加わる圧力が分散することになる。
【００２９】
そして、このように保冷材容器１の内部から加わる圧力を分散させる複数の凸部１０ａ，１０ｂが主面３ａ，３ｂにてハニカム状に配列されていることにより、図２（ｃ），（ｄ）に示すように、主面３ａ，３ｂの全体においては、保冷材９が凝固することによって保冷材容器１の内部から加わる圧力がさらに分散することとなり、剛性が高まり、それにより、保冷材容器１全体の強度が高くなる。そのため、収容された保冷材９が凝固していく際、保冷材容器１が大きく変形したり、破損してしまったりすることが回避される。
【００３０】
また、外部から衝撃が加わった場合においても、その衝撃を主面３ａ，３ｂにおいて垂直方向のみから受けるのではなく、凸部１０ａ，１０ｂの側面においては斜めの方向から受けることとなり、保冷材容器１の変形や破損がしにくくなる。
【００３１】
また、複数の凸部１０ａ，１０ｂが、保冷材容器１の主面３ａ，３ｂの脚部２１ａ，２１ｂ，２２ａ，２２ｂ，２３ａ，２３ｂ，２４ａ，２４ｂ及びその周縁部を除く略全面に設けられていることにより、手に所持した際に保冷材容器１が落下しにくくなる。
【００３２】
次に、保冷材容器１に収容された保冷材を凝固させる際、及び、物品を保冷する際の作用について説明する。
【００３３】
保冷材容器１に収容された保冷材を凝固させる場合は、保冷材容器１に保冷材が収容された保冷具を冷凍庫等で冷却することになる。その場合、保冷材容器１を構成するアッパー部２ａ及びロアー部２ｂのそれぞれに、複数の凸部１０ａ，１０ｂが設けられていることにより、保冷具の表面積が広くなる。それにより、冷凍庫等による冷気に接触する面積が広くなり、保冷材容器１に収容された保冷材が凝固しやすくなる。
【００３４】
またその際、保冷材容器１を構成するアッパー部２ａ及びロアー部２ｂのそれぞれに、複数の凸部１０ａ，１０ｂが設けられているものの、これら複数の凸部１０ａ，１０ｂがハニカム状に配列されていることにより、冷凍庫等による冷気が、保冷材容器１の表面に均一に伝達され、保冷材の凝固状態にムラが生じにくくなる。
【００３５】
また、保冷材が凝固した後に物品を保冷する場合は、複数の凸部１０ａ，１０ｂによって保冷具の表面積が広くなることで、保冷材の冷気が外部に伝達されやすくなり、保冷効果が向上する。また、保冷材が凝固した後に物品を保冷する場合は、凝固した保冷材が、周囲の温度によって融解していくことになるが、複数の凸部１０ａ，１０ｂがハニカム状に配列されていることにより、均一に融解していくこととなり、保冷材の融解状態にムラが生じにくくなる。
【００３６】
次に、保冷材容器１に保冷材が収容された保冷具を複数個重ね合わせた状態で使用する場合において、保冷材容器１に収容された保冷材を凝固させる際、及び、物品を保冷する際の作用について説明する。
【００３７】
図３は、図１に示した保冷材容器１に保冷材が収容された保冷具を複数個重ね合わせた状態で使用する場合の作用について説明するための図であり、（ａ）は２つの保冷具１ａ，１ｂを重ね合わせた状態を断面方向から示す図、（ｂ）は（ａ）に示した状態における冷気の流れを示す図である。
【００３８】
図１に示した保冷材容器１に保冷材が収容された２つの保冷具１ａ，１ｂを重ね合わせると、図３に示すように、保冷具１ａの脚部２１ｂ，２２ｂ，２３ｂ，２４ｂと、保冷具１ｂの脚部２１ａ，２２ａ，２３ａ，２４ａとが当接する。その際、保冷具１ａの脚部２１ｂ，２４ｂに設けられた突起２５ｂ，２８ｂが、保冷具１ｂの脚部２１ａ，２４ａに設けられた凹部２５ａ，２８ａ内に入り込み、また、保冷具１ｂの脚部２２ａ，２３ａに設けられた突起２６ａ，２７ａが、保冷具１ａの脚部２２ｂ，２３ｂに設けられた凹部２６ｂ，２７ｂ内に入り込むことにより、重ね合わされた保冷具１ａ，１ｂが左右に大きくずれることが回避される状態となる。
【００３９】
このような状態においては、図３（ａ）に示すように、保冷具１ａの凸部１０ｂと保冷具１ｂの凸部１０ａとが対向することにより、保冷具１ａにおける複数の凸部１０ｂ間の領域と、保冷具１ｂにおける複数の凸部１０ａ間の領域とが対向し、この領域間において大きな空間８が生じた状態となる。そして、この空間８は、複数の凸部１０ａ，１０ｂ間の領域によるものであることから、保冷具１ａ，１ｂの重ね合わせ部分の外部に連通したものとなる。
【００４０】
そのため、２つの保冷具１ａ，１ｂを重ね合わせた状態で保冷材９を凝固させる際、重ね合わされた保冷具１ａ，１ｂ間において、保冷材９を凝固させるための冷凍庫等による冷気が、図３（ｂ）中破線で示すように空間８に流れ込み、保冷材９が凝固しにくくなってしまうことが回避される。またその際、凸部１０ａ，１０ｂがハニカム状に配列されていることにより、冷凍庫等による冷気が、重ね合わされた保冷具１ａ，１ｂ間の空間８に均等に流れ込み、保冷材９の凝固状態にムラが生じにくくなる。
【００４１】
また、保冷材９が凝固した後に２つの保冷具１ａ，１ｂを重ね合わせた状態で物品を保冷する場合は、その逆に、重ね合わされた保冷具１ａ，１ｂの重ね合わせ面からは、この空間８を介して保冷材９による冷気が外部に伝達されやすくなり、２つの保冷具１ａ，１ｂを用いた十分な保冷効果を得ることができる。
【００４２】
このように、保冷材容器１の主面３ａ，３ｂのそれぞれに、複数の凸部１０ａ，１０ｂが設けられていることで、保冷材９が収容されて複数個重ね合わせた状態で使用される場合に、保冷材９を凝固させる際には保冷材９が凝固しにくくなることがなく、かつ、物品を保冷する際には複数の保冷材９による十分な保冷効果を得ることができるが、複数の凸部１０ａ，１０ｂがそれぞれ、底部１１が正六角形の正六角錐台形状であることにより、凸部１０ａ，１０ｂの面積を大きくしながらも冷気が流れる空間を確保することができる。
【００４３】
なお、本形態においては、主面３ａ，３ｂの４つの角部のそれぞれに、脚部２１ａ，２２ａ，２３ａ，２４ａ，２１ｂ，２２ｂ，２３ｂ，２４ｂが設けられており、保冷材容器１に保冷材が収容された２つの保冷具１ａ，１ｂを重ね合わせた場合、保冷具１ａの脚部２１ｂ，２２ｂ，２３ｂ，２４ｂと、保冷具１ｂの脚部２１ａ，２２ａ，２３ａ，２４ａとが当接することになるが、脚部２１ａ，２１ｂ，２２ａ，２２ｂ，２３ａ，２３ｂ，２４ａ，２４ｂを有さない構成であっても、保冷材容器１に保冷材が収容された２つの保冷具１ａ，１ｂを重ね合わせた場合、保冷具１ａの凸部１０ｂと保冷具１ｂの凸部１０ａとが当接して空間８が生じるため、同様の作用が生じることとなる。その際、凸部１０ａ，１０ｂが、頂部１２が平坦となった正六角錐台形状であることにより、保冷具１ａ，１ｂを重ね合わされた場合に凸部１０ａ，１０ｂどうしが当接することで保冷具１ａ，１ｂの重ね合わせ状態が不安定なものとなってしまうことを回避できる。
【００４４】
次に、貫通孔５による作用について説明する。
【００４５】
図４は、図１に示した保冷材容器１の貫通孔５による作用を説明するための図であり、保冷材が収容された状態を断面方向から示す。
【００４６】
上述したように、図１に示した保冷材容器１は、収容された保冷材９が凝固していく際、保冷材９が膨張することで保冷材容器１には内部から圧力が加わることになるが、保冷材容器１が平板状の筐体からなるものであるため、内部から加わる圧力は、アッパー部２ａとロアー部２ｂとが離れる方向に大きく作用する。
【００４７】
ところで、図１に示した保冷材容器１は図４（ａ）に示すように、アッパー部２ａとロアー部２ｂとが、その周縁部が接合部６ａとなって接合されているとともに、貫通孔５においても、接合部６ｂを有して互いに接合されている。
【００４８】
それにより、収容された保冷材９が凝固していく際、アッパー部２ａとロアー部２ｂとが離れる方向に保冷材容器１に内部から大きな圧力が加わったとしても、アッパー部２ａとロアー部２ｂとが分離してしまうことが回避されることになる。
【００４９】
このように本形態においては、アッパー部２ａとロアー部２ｂとが接合してなる筐体の主面３ａ，３ｂのそれぞれに複数の凸部１０ａ，１０ｂが設けられていることにより、内部に収容された保冷材９が膨張することで保冷材容器１の内部から圧力が加わった場合にその圧力が凸部１０ａ，１０ｂにて分散されることとなり、また、これら凸部１０ａ，１０ｂが、主面３ａ，３ｂの略全面にハニカム状に配列されていることによって主面３ａ，３ｂの剛性が高まり、それにより、保冷材容器１全体の強度を高めることができる。また、複数の凸部１０ａ，１０ｂによって保冷材容器１の表面積が広くことで、収容された保冷材９を冷凍庫等の冷気によって凝固させる際、冷気が保冷材９に伝達されやすくなり、保冷材９が効率的に凝固されることになる。また、保冷材９が凝固した後に物品を保冷する際、保冷材９による冷気が外部に伝達されやすくなり、保冷材９による保冷効果が向上する。また、このように保冷材９を効率的に凝固させるとともに保冷材９による保冷効果を向上させるために複数の凸部１０ａ，１０ｂを設けながらも、複数の凸部１０ａ，１０ｂが、保冷材容器１の主面３ａ，３ｂの略全面にハニカム状に配列されていることにより、保冷材９の凝固状態や融解状態にムラが生じにくくなる。また、保冷材容器１に保冷材９が収容された保冷具を複数個重ねた状態で使用する場合、複数の凸部１０ａ，１０ｂ間の領域において、重ね合わされた保冷具間に空間８が生じ、保冷材９を凝固させる際、この空間に冷凍庫等による冷気が流れ込み、保冷材９が凝固しにくくなってしまうことを回避できる。またその際、複数の凸部１０ａ，１０ｂがハニカム状に配列されていることにより、冷凍庫等による冷気が、重ね合わされた保冷具間の空間８に均等に流れ込み、保冷材９の凝固状態にムラが生じにくくなる。また、保冷材９が凝固した後に物品を保冷する際、重ね合わされた保冷具の重ね合わせ面からこの空間８を介して保冷材９による冷気が外部に伝達されやすくなり、複数の保冷具を用いた十分な保冷効果を得ることができる。
【００５０】
（他の実施の形態）
図５は、本発明の保冷材容器の他の実施の形態を示す図であり、（ａ）は平面図、（ｂ）は（ａ）に示したＡ−Ａ’断面図、（ｃ）は（ａ）に示したＢ−Ｂ’断面図、（ｄ）は（ａ）に示したＣ−Ｃ’断面図である。なお、図５（ｂ）〜（ｄ）に示す断面図は、断面のみを示している。
【００５１】
本形態は図５に示すように、図１に示したものに対して、凸部１１０ａ，１１０ｂが、底部が円形のドーム状のものである点のみが異なるものである。
【００５２】
本形態における保冷材容器１０１においても、アッパー部１０２ａとロアー部１０２ｂとが接合してなる筐体の主面１０３ａ，１０３ｂのそれぞれに複数の凸部１１０ａ，１１０ｂが設けられていることにより、内部に収容された保冷材が膨張することで保冷材容器１０１の内部から圧力が加わった場合にその圧力が凸部１１０ａ，１１０ｂにて分散されることとなり、また、これら凸部１１０ａ，１１０ｂが、主面１０３ａ，１０３ｂの略全面にハニカム状に配列されていることによって主面１０３ａ，１０３ｂの剛性が高まり、それにより、保冷材容器１０１全体の強度を高めることができる。また、複数の凸部１１０ａ，１１０ｂによって保冷材容器１０１の表面積が広くことで、収容された保冷材を冷凍庫等の冷気によって凝固させる際、冷気が保冷材に伝達されやすくなり、保冷材が効率的に凝固されることになる。また、保冷材が凝固した後に物品を保冷する際、保冷材による冷気が外部に伝達されやすくなり、保冷材による保冷効果が向上する。また、このように保冷材を効率的に凝固させるとともに保冷材による保冷効果を向上させるために複数の凸部１１０ａ，１１０ｂを設けながらも、複数の凸部１１０ａ，１１０ｂが、保冷材容器１０１の主面１０３ａ，１０３ｂの略全面にハニカム状に配列されていることにより、保冷材の凝固状態や融解状態にムラが生じにくくなる。また、保冷材容器１０１に保冷材が収容された保冷具を複数個重ねた状態で使用する場合、複数の凸部１１０ａ，１１０ｂ間の領域において、重ね合わされた保冷具間に空間が生じ、保冷材を凝固させる際、この空間に冷凍庫等による冷気が流れ込み、保冷材が凝固しにくくなってしまうことを回避できる。またその際、複数の凸部１１０ａ，１１０ｂがハニカム状に配列されていることにより、冷凍庫等による冷気が、重ね合わされた保冷具間の空間に均等に流れ込み、保冷材の凝固状態にムラが生じにくくなる。また、保冷材が凝固した後に物品を保冷する際、重ね合わされた保冷具の重ね合わせ面からこの空間を介して保冷材による冷気が外部に伝達されやすくなり、複数の保冷具を用いた十分な保冷効果を得ることができる。
【００５３】
なお、本発明における凸部の形状は、底部の形状が上述した正六角形や円形のものに限らず、三角形や四角形、星形等、様々なものを適用することができる。ただし、本形態のように、複数の凸部１１０ａ，１１０ｂがそれぞれ、底部が円形のドーム状のものであれば、保冷材容器１０１の内部から加わった圧力が分散しやすくなる。図１に示した凸部１０ａ，１０ｂは、底部が正六角形の正六角錐台形状となっているが、底部が多角形であっても正六角形のように頂点の数を増やすことにより、保冷材容器１０１の内部から加わった圧力を分散しやすくすることができる。
【００５４】
また、複数の凸部１０ａ，１０ｂ，１１０ａ，１１０ｂが主面３ａ，３ｂ，１０３ａ，１０３ｂの縦横に並ぶように配列された場合であっても、ある程度は上記同様の作用が生じる可能性があるが、本発明のように複数の凸部１０ａ，１０ｂ，１１０ａ，１１０ｂがハニカム状に配列されている方が、特に主面３ａ，３ｂ，１０３ａ，１０３ｂに対して縦横に折り曲げるような外力が加わった場合に保冷材容器１，１０１が破損してしまうことを回避できる等、外部からの衝撃に対する強度に優れている。
【００５５】
また、上述した実施の形態においては、アッパー部２ａ，１０２ａとロアー部２ｂ，１０２ｂとが接合されることにより、扁平状の直方体からなる箱体を構成しているが、立方体あるいは、扁平状でなくとも立方体に近い直方体からなる箱体を構成するものであっても、互いに対向する一対の面を主面とし、この主面のそれぞれに、上記同様に凸部をハニカム状に配列して構成することも考えられる。
【００５６】
また、上述した実施の形態においては、互いに対向する一対の主面３ａ，３ｂ，１０３ａ，１０３ｂのそれぞれに複数の凸部１０ａ，１０ｂ，１１０ａ，１１０ｂが形成されているが、互いに対向する一対の主面のうち一方のみに、上記同様にして複数の凸部を設けることも考えられる。その場合、互いに対向する一対の主面のそれぞれに複数の凸部を設けたものに対して上述した効果は劣るものの、主面に複数の凸部が設けられていないものと比べ、強度を高めることができるとともに、表面積の増大や重ね合わせた際の冷気の流れ込みによる上記効果を得ることができる。
【符号の説明】
【００５７】
１，１０１    保冷材容器
１ａ，１ｂ    保冷具
２ａ，１０２ａ    アッパー部
２ｂ，１０２ｂ    ロアー部
３ａ，３ｂ，１０３ａ，１０３ｂ    主面
４ａ〜４ｄ，１０４ａ〜１０４ｄ    側面部
５，１０５    貫通孔
６ａ，６ｂ，１０６ａ    接合部
７，１０７    充填口
８    空間
９    保冷材
１０ａ，１０ｂ，１１０ａ，１１０ｂ    凸部
１１    底部
１２    頂部
１３ａ〜１３ｃ    凸部列
２１ａ，２１ｂ，２２ａ，２２ｂ，２３ａ，２３ｂ，２４ａ，２４ｂ，１２１ａ，１２１ｂ，１２２ａ，１２２ｂ，１２３ａ，１２３ｂ，１２４ａ，１２４ｂ    脚部
２５ａ，２６ｂ，２７ｂ，２８ａ，１２５ａ，１２６ｂ，１２７ｂ，１２８ａ    凹部
２５ｂ，２６ａ，２７ａ，２８ｂ，１２５ａ，１２６ｂ，１２７ｂ，１２８ａ    突起
【図１】
2016223668.tif 000003
【図２】
2016223668.tif 000004
【図３】
2016223668.tif 000005
【図４】
2016223668.tif 000006
【図５】
2016223668.tif 000007